(57)【要約】【課題】  テープやステープル等の封緘資材を使用しないで底面をロックすることができるノンステープル箱を提供する。【解決手段】  一対の長側板の底縁から延出した底板５と、一対の短側板の底縁から延出した底フラップ６とを重ね合わせて固定する包装箱の底組みロック構造において、前記底フラップ６の先端部に突出片１０を設け、かつその突出片の両側縁の折目にロック片１１、１１を設けると共に、前記突出片の基部から底フラップと前記短側板２間の稜線の両端に至る斜方向の一対の折目１６、１６を形成し、一方、前記底板５の先端部にＬ型又は逆Ｌ型の互いに向合う切込み１３、１３を設けて、その切込みの内側に抑え片１４と折目１５をそれぞれ形成し、前記ロック片１１、１１を折目に沿い起しながら前記突出片１０を前記切込み１３に差し込む。【選択図】  図１
2005239174.tif 000002
【特許請求の範囲】
【請求項１】
一対の長側板の底縁から延出した底板５と、一対の短側板の底縁から延出した底フラップ６とを重ね合わせて固定する包装箱の底組みロックにおいて、
前記底フラップ６の先端部に突出片１０を設け、かつその突出片の両側縁の折目にロック片１１、１１を設けると共に、前記突出片の基部から底フラップと前記短側板２間の稜線の両端に至る斜方向の一対の折目１６、１６を形成し、一方、前記底板５の先端部にＬ型又は逆Ｌ型の互いに向合う切込み１３、１３を設けて、その切込みの内側に抑え片１４と折目１５をそれぞれ形成し、前記ロック片１１、１１を折目に沿い起しながら前記突出片１０を前記切込み１３に差し込むと、前記突出片１０及びロック片１１が抑え片１４で押圧されて底板５に抜け止めされることを特徴とする包装箱の底組みロック。
【請求項２】
底板５の先端部に設ける切込み１３の深さＤは、突出片の横幅Ａの略１／２に形成されていることを特徴とする請求項１に記載の包装箱の底組みロック。
【請求項３】
前記ロック片及び抑え片の折目が段ボールの段目と平行になるようにしたことを特徴とする請求項1又は２に記載の包装箱の底組みロック。
【発明の詳細な説明】
【技術分野】
【０００１】
本発明は、主として農産物を運搬する青果物用包装箱の底面を、接着テープやステープル針を用いることなく閉止してロックする構造に関するものである。
【背景技術】
【０００２】
従来、農産物を箱詰めして出荷する場合、ＪＩＳ−Ｚ１５０７の０２０１形式（旧Ａ−１形）の段ボール箱が多用されている。この段ボール箱は、４側壁の底面に底板及び底フラップを、また天面には天板及び天フラップを連接してなるものであり、その底組みに際しては底板と底フラップを重ね合せた後、重なった部分をステープル針と呼ばれる金具を専用マシンで打ち込んで底組みしていた。
【０００３】
ところが、ステープル方式による底組み作業は、底組みの都度、ステープル針とその打込みマシン（ボクサーと呼ばれている）を用意する必要がある。そのマシンは重くて取り扱いに力を要するので高齢者等には負担である。また、底組み作業は収穫物を箱詰めする畑等で迅速に行うことが出来ないので、農家の作業場で行い、作り置きしておいた箱を農産物の収穫時に畑等に運んでいる。
しかし箱を底組みしておくと保管や運搬時に嵩張って効率が悪い。また、農産物の収穫量は正確に予測できないので、段ボール箱を多めに用意しておかなければならない。
【０００４】
また、段ボール箱を開封、解体する際にステープル針により怪我をしたり、ステープル針が青果物に混入する事故がおきる危険性が有った。さらに、段ボール箱をリサイクル際の分別作業に手間がかかり、処理コストが嵩むという問題があった。
【０００５】
一方、底止めのためにテープを貼着する方式も手間がかかり、接着テープを剥がし難く、コストも割高になる。また、使用済みの箱を古紙として再利用する場合にあっても、ステープル針を使用したときと同様に接着テープを不純物として箱から分別するのに手間がかかるという不具合がある。
【０００６】
こうしたことから、ステープル針や接着テープ等の封緘資材を使用しないで底面の封緘ができる包装箱が農産物の生産者や流通業者から要望されている。
従来からこのようなノンステープル形式の包装箱は、各種形式のものが提案されている。（例えば特許文献１及び２参照）
【特許文献１】特許第３０５６７３７号公報（特開２０００−３５５３２１）
【特許文献２】特開２００３−１２８０４２号公報
【発明の開示】
【発明が解決しようとする課題】
【０００７】
本発明も特許文献１及び２に記載の発明同様に、ノンステープル形式の包装箱を提案するものであって、底組み及び解体作業が簡単・安全に行え、かつ底面にたわみが生じても底抜けしにくい底組みロックを提供することを課題とする。
【課題を解決するための手段】
【０００８】
上記の課題を解決するため、本発明の第１は、一対の長側板の底縁から延出した底板と、一対の短側板の底縁から延出した底フラップとを重ね合わせて固定する包装箱の底組みロックにおいて、
前記底フラップの先端部に突出片を設け、かつその突出片の両側縁の折目にロック片を設けると共に、前記突出片の基部から底フラップと前記短側板間の稜線の両端に至る斜方向の一対の折目を形成し、一方、前記底板の先端部にＬ型又は逆Ｌ型の互いに向合う切込みを設けて、その切込みの内側に抑え片と折目をそれぞれ形成し、前記ロック片を折目に沿い起しながら前記突出片を前記切込みに差し込むと、前記突出片及びロック片が抑え片で押圧されて底板に抜け止めされることを特徴とする。
【０００９】
第２の発明は、前記第１の発明における底板の先端部に設ける切込みの深さを、突出片の横幅の略１／２に形成することを特徴としている。
【００１０】
第３の発明は、前記第１の発明における前記ロック片及び抑え片の折目が段ボールの段目と平行になるようにしたことを特徴とする。
【発明の効果】
【００１１】
本発明の底組みロックは、底フラップの先端部に突出片を設け、かつその突出片の両側縁の折目にロック片を設けると共に、前記突出片の基部から底フラップと前記短側板間の稜線の両端に至る斜方向の一対の折目を形成し、一方、前記底板の先端部にＬ型又は逆Ｌ型の互いに向合う切込みを設けて、その切込みの内側に抑え片と折目をそれぞれ形成し、前記ロック片を折目に沿い起しながら前記突出片を前記切込みに差し込むようにしたので、組立てや解体作業が簡単で、しかも底面にたわみが生じても底抜けしにくいものとなる。
また、前記ロック片及び抑え片の折目が段ボールの段目と平行になるようにすると、前記突出片が抑え片で押され底板に沿うようにカールしながら切込みに挿入されるので、突出片とロック片の浮上がりが少なくなる。
【発明を実施するための最良の形態】
【００１２】
次に、本発明の底組みロックを図面に基づき説明するが、本発明は以下の実施例に限定されるものではない。
【００１３】
図１は、本発明に係る青果物用包装箱のブランクを示す展開図、図２から図４は底組み過程を底面側より示す斜視図であり、図５は底組み状態を上面側より示した斜視図である。
【００１４】
本実施例に示す段ボール箱のブランクは、段ボールの段目がブランクシートの上下の方向に向けられ、また一対の長側板１、１と、一対の短側板２、２が折目を介して交互に連接されている。長側板１、１には通気穴３が開設され、短側板２、２には中央上部に手掛け穴４が設けられている。
また、一対の長側板１、１の底縁には、折目を介し底板５、５を連接し、一対の短側板２、２の底縁には折目を介して底フラップ６、６を連接している。
そして一対の長側板１、１の上縁には、それぞれ折目を介して天板７、７を連接し、側板２、２の天縁にはそれぞれ折目を介して天フラップ８、８を連接している。なお符号９は、長側板１の端部に連接したつなぎ代である。
【００１５】
本実施例において天板７、７は組立て時に互いに突合せとなるように、その長さ方向の寸法Ｆ１は、短側板２の幅方向寸法Ｗの１／２にほぼ等しい長さに形成されているが、寸法Ｆ1は寸法Ｗの１／２より短くしてもよい。このように短くした場合には、天板を閉じたとき、天面に開口窓が形成される。底板５、５も、組立て時に互いに突合せとなるように、その長さ方向の寸法Ｆ２は、短側板２の幅方向寸法Ｗの１／２の長さにほぼ等しく形成されている。
【００１６】
前記底板５、５にはその先端部にＬ型又は逆Ｌ型の互いに向合う切込み１３，１３をそれぞれ設け、また各切込みの内側に抑え片１４とその基部に折目１５をそれぞれ形成する。一方、底フラップ６、６はその先端中央部には突出片１０を設け、かつその突出片１０の両側縁の折目１２を介して一対のロック片１１，１１を設けると共に、前記突出片の基部から底フラップ６と前記短側板２間の稜線の両端に至る４５度の一対の折目１６を形成している。
因みに底板５の先端部に設ける切込みの深さＤは、底フラップ６の先端に設ける突出片１０の横幅寸法Ａの略１／２の関係を有するように形成されている（図１）。
【００１７】
このブランクを組立てるには、一対の長側板１、１と、一対の短側板２、２を筒状に折り曲げてつなぎ代９を介して連結した後、倒立状態で、図２及び図３に示すように底板５、５の先端を互いに突き合わせるように、内側に折り畳み、次に底フラップ６，６をその上に折り重ねる。このとき、底フラップ６、６の先端中央部に設けた突出片１０を底板５、５の先端部に設けたＬ型又は逆Ｌ型の切込み１３，１３に押し込む。またこのとき、前記突出片１０の両側に設けたロック片１１，１１を折目に沿い逆折りにすると同時に底フラップ６、６自体を底板５に押し込みながら、４５度の折目１６、１６に沿って前記突出片１０を前記切込み１３に差し込むのである。
このようにすると、図５及び図６にも示すように、前記突出片１０が、その両側に設けたロック片１１，１１の作用で切込み１３に抜け止めされ、しかも底面にたわみが生じても底抜けしにくいものとなる。すなわち、突出片１０とロック片１１、１１は切込み１３に入りこむと同時に、逆折りされたロック片１１は、素材の復元力により反発して平板状に戻る。その結果、ロック片１１は切込み１３の内側に係止され、抜け止めされる。また箱内に野菜等を収容したとき、その重量により底板５および底フラップ６が撓んでも、ロック片１１が底板５を確実にロックするため、箱の底抜けを完全に防止できる。
【００１８】
なお特許文献１に記載のロック方式は、底フラップの先端部両側縁を切り込んで差込片を設け、底板に設けたコ字状の切込を設けてその内側を抑制片とし、前記差込片をコ字状の切込に差し込み、箱の内部に突出した差込片が内容物に押されて折れ曲がることにより抜けにくくしたものであった。しかし、前記差込片は内容物に押されて折れ曲がることにより抜けにくくしたものであるため、差込片は折れ曲がりの角度が浅いとコ字状の切込から抜けやすく、また、重い内容物により、底板と底フラップの両方が撓んだ場合に、差込片が切込から抜け落ち、底抜けしやすい。
【００１９】
箱を解体する際には、図４のような倒立状態で、突き合わせられた２枚の底板５を両方同時に箱内側に押し下げると、底板５、５の先端が開き、ロック片１１、１１と突出片１０が切込み１３を通り抜けてロックが簡単に解除されるのである。この後、後底板５、５と底受フラップ６、６を上に引き起こせば、箱を扁平に折畳むことも出来る。以上のように使用後には、底面のロックが簡単に解除でき、安全にしかも短時間で容易に解体することができる。
【図面の簡単な説明】
【００２０】
【図１】本実施例の青果物用包装箱のブランクを示す展開図である。
【図２】同上の箱の底組み過程を底面側より示す斜視図である。
【図３】図２に続く底組み過程を底面側より示す斜視図である。
【図４】図３に続く底組み過程を底面側より示す斜視図である。
【図５】底組み状態を箱上面側から見た斜視図である。
【符号の説明】
【００２１】
１    側板
３    通気穴
４    手掛け穴
５    底板
６    底フラップ
７    天板
８    天フラップ
９    つなぎ代
１０  突出片
１１  ロック片
１２  折目
１３  切込み
１４  抑え片
１５  折目
１６  ４５度の折目
【図１】
2005239174.tif 000003
【図２】
2005239174.tif 000004
【図３】
2005239174.tif 000005
【図４】
2005239174.tif 000006
【図５】
2005239174.tif 000007